(57)【要約】      （修正有）【課題】慶事と弔事とで、上下をひっくり返して、ポケット部の位置を変更する必要がないと共に、本体部の柄・色・生地等を慶事と弔事とのそれぞれに適したものにできる左右開き金封袱紗を提供する。【解決手段】中央線１ａに沿って折り畳み可能な長方形状の本体部１と、本体部の裏面に設けられた右ポケット部２０及び左ポケット部２１と、を備え、本体部は、中央線の右側に配置される右本体部１０と、左側に配置される左本体部１１と、を備え、右本体部及び左本体部は、金封１００と略同じ大きさの長方形状であって、右ポケット部は、右本体部に設けられ、左ポケット部は、左本体部に設けられ、それぞれ金封を収納できる。【選択図】図１
0003201737.tif 000002
【実用新案登録請求の範囲】
【請求項１】
中央線に沿って折り畳み可能な長方形状の本体部と、
前記本体部の裏面に設けられた右ポケット部及び左ポケット部と、を備え、
前記本体部は、前記中央線の右側に配置される右本体部と、前記中央線の左側に配置される左本体部と、を備え、
前記右本体部及び左本体部は、金封と略同じ大きさの長方形状であって、
右ポケット部は、前記右本体部に設けられると共に、前記金封を収納できるように構成され、
左ポケット部は、前記左本体部に設けられると共に、前記金封を収納できるように構成される
ことを特徴とする簡易袱紗。
【請求項２】
前記右ポケット部は、前記右本体部の右辺に連結されると共に、前記金封の右側を収納できるように構成され、
前記左ポケット部は、前記左本体部の左辺に連結されると共に、前記金封の左側を収納できるように構成され、
前記左右ポケット部は、台形状であって、前記左右ポケット部の下辺の長さが、前記左右本体部の横辺の長さの４５〜５５％であり、前記左右ポケット部の上辺の長さが、前記左右本体部の横辺の長さの３０〜４０％である
ことを特徴とする請求項１に記載の簡易袱紗。
【請求項３】
前記右ポケット部と前記左ポケット部とは、それぞれ異なる柄又は色からなり、
前記右本体部の表面の一部又は全部は、前記右ポケット部と同じ柄又は色を備え、
前記左本体部の表面の一部又は全部は、前記左ポケット部と同じ柄又は色を備える
ことを特徴とする請求項１又は２に記載の簡易袱紗。
【請求項４】
前記右本体部の表面と前記左本体部の表面とは、それぞれ異なる柄又は色からなる
ことを特徴とする請求項１〜３のいずれかに記載の簡易袱紗。
【考案の詳細な説明】
【技術分野】
【０００１】
本考案は、慶弔時において、金封を収納することができる簡易袱紗に関する。
【背景技術】
【０００２】
袱紗は、慶弔時において、金封を包むために用いられる。一般的には、袱紗は、四角形の布からなり、予めこの布に金封を包んで持ち運び、会場の受付でこの布の包みを解いて、金封を取り出すことが礼儀とされている。しかし、布で金封を包むに手間がかかったり、移動中や金封を取り出す時等において、折り畳んだ布が乱れたり、布が撓んで金封に皺が寄る等の問題があった。
【０００３】
そこで、最近では、特許文献１のような簡易袱紗が、広く使用されている。簡易袱紗は、中央で折り畳み可能な本体部と、本体部の一方側に設けられたポケット部と、からなる。そして、簡易袱紗のポケット部に金封を収納して、本体部を折り畳んで金封を持ち運び、受付で、本体部を開いてポケット部から金封を取り出す。
【０００４】
ところで、布の袱紗で金封を包む方法は、慶事と弔事とで異なっており、慶事のときは、金封の右側から包み、弔事のときは、金封の左側から包む。そのため、上記したような従来の簡易袱紗では、慶事のときには、金封の左側をポケット部に収納して、本体部を金封の右側から覆い、弔事のときは、金封の右側をポケット部に収納して、本体部の金封を左側から覆う。
【０００５】
そのため、従来の簡易袱紗では、慶事と弔事とで、上下をひっくり返して、ポケット部の位置を左右に変更する必要があった。さらに、本体部で金封を覆う際、慶事と弔事との双方で、本体部の同じ部分で金封を覆うので、本体部の柄・色・生地等を慶事と弔事との双方に適したものにする必要があった。
【先行技術文献】
【特許文献】
【０００６】
【特許文献１】実用新案登録第３０６３３８４号公報
【考案の概要】
【考案が解決しようとする課題】
【０００７】
そこで、本考案が解決しようとする課題は、慶事と弔事とで、上下をひっくり返して、ポケット部の位置を左右に変更する必要がないと共に、本体部の柄・色・生地等を慶事と弔事とのそれぞれに適したものにできる簡易袱紗を提供することである。
【課題を解決するための手段】
【０００８】
上記課題を解決するために、本考案に係る簡易袱紗は、
中央線に沿って折り畳み可能な長方形状の本体部と、
本体部の裏面に設けられた右ポケット部及び左ポケット部と、を備え、
本体部は、中央線の右側に配置される右本体部と、中央線の左側に配置される左本体部と、を備え、
右本体部及び左本体部は、金封と略同じ大きさの長方形状であって、
右ポケット部は、右本体部に設けられると共に、金封を収納できるように構成され、
左ポケット部は、左本体部に設けられると共に、金封を収納できるように構成される。
【０００９】
好ましくは、
右ポケット部は、右本体部の右辺に連結されると共に、金封の右側を収納できるように構成され、
左ポケット部は、左本体部の左辺に連結されると共に、金封の左側を収納できるように構成され、
左右ポケット部は、台形状であって、左右ポケット部の下辺の長さが、左右本体部の横辺の長さの４５〜５５％であり、左右ポケット部の上辺の長さが、左右本体部の横辺の長さの３０〜４０％である。
【００１０】
好ましくは、
右ポケット部と左ポケット部とは、それぞれ異なる柄又は色からなり、
右本体部の表面の一部又は全部は、右ポケット部と同じ柄又は色を備え、
左本体部の表面の一部又は全部は、左ポケット部と同じ柄又は色を備える。
【００１１】
好ましくは、
右本体部の表面と左本体部の表面とは、それぞれ異なる柄又は色からなる。
【考案の効果】
【００１２】
本考案に係る簡易袱紗は、中央線に沿って折り畳み可能な長方形状の本体部と、本体部の裏面に設けられた右ポケット部及び左ポケット部と、を備える。本体部は、中央線の右側に配置される右本体部と、中央線の左側に配置される左本体部と、を備える。右本体部及び左本体部は、金封と略同じ大きさの長方形状である。右ポケット部は、右本体部に設けられると共に、金封を収納できるように構成される。左ポケット部は、左本体部に設けられると共に、金封を収納できるように構成される。
【００１３】
従って、本考案に係る簡易袱紗は、慶事のときに、左ポケット部に金封を収納して、右本体部で金封を覆い、弔事のときに、右ポケット部に金封を収納して、左本体部で金封を覆うことができるので、慶事と弔事とで、上下をひっくり返して、ポケット部の位置を左右に変更する必要がない。さらに、本体部で金封を覆う際、慶事では右本体部で金封を覆い、弔事では左本体部で金封を覆うので、右本体部の表面の柄・色・生地等を慶事に適したものにでき、左本体部の表面の柄・色・生地等を弔事に適したものにできる。
【図面の簡単な説明】
【００１４】
【図１】本体部を開いた状態の簡易袱紗及び金封を示す図。
【図２】図１のＩ−Ｉ線断面図。
【図３】慶事のときの簡易袱紗の使用状態を示し、（Ａ）は左ポケット部に金封を収納した図、（Ｂ）は右本体部で金封を覆った図。
【図４】弔事のときの簡易袱紗の使用状態を示し、（Ａ）は右ポケット部に金封を収納した図、（Ｂ）は左本体部で金封を覆った図。
【考案を実施するための形態】
【００１５】
以下、図面に基づいて、本考案に係る簡易袱紗について説明する。
【００１６】
図１及び図２の通り、簡易袱紗は、本体部１を備える。本体部１は、中央線１ａに沿って折り畳み可能な長方形状の生地材からなる。本体部１は、中央線１ａの右側に配置される右本体部１０と、中央線１ａの左側に配置される左本体部１１と、からなる。右本体部１０と左本体部１１とは連続して、本体部１を構成する。
【００１７】
右本体部１０及び左本体部１１は、それぞれ金封１００と略同じ大きさの長方形状である。すなわち、金封１００の横辺の長さＷは、左右本体部１０，１１の横辺の長さＷ’と略同じ（数ミリメートル長い）であり、金封１００の縦辺の長さＬは、左右本体部１０，１１の縦辺の長さＬ’と略同じ（数ミリメートル長い）である。
【００１８】
簡易袱紗は、右本体部１０の裏面１０Ｂに設けられた右ポケット部２０と、左本体部１１の裏面１１Ｂに設けられた左ポケット部２１と、を備える。図１の通り、左右ポケット部２０，２１は、台形状である。
【００１９】
右ポケット部２０は、その右辺が右本体部１０の右辺１０ａに連結され、その上辺が右本体部１０の上辺に連結され、その下辺が右本体部１０の下辺に連結される。そのため、右ポケット部２０は、その左側が開口しており、金封１００の右側を収納できる。
左ポケット部２１は、その左辺が左本体部１１の左辺１１ａに連結され、その上辺が左本体部１１の上辺に連結され、その下辺が左本体部１１の下辺に連結される。そのため、左ポケット部２１は、その右側が開口しており、金封１００の左側を収納できる。
【００２０】
図２の通り、左右ポケット部２０，２１は、生地材２で形成され、生地材２は、本体部１の左右端１０ａ，１１ａで折り返され、かつ、本体部１の左右部１０，１１の表面１０Ａ，１１Ａを覆うように、本体部１に貼り付けられる。
【００２１】
図１の通り、左右ポケット部２０，２１は、左右ポケット部２０，２１の下辺の長さＷ１が、左右本体部１０，１１の横辺の長さＷ’の４５〜５５％であり、左右ポケット部２０，２１の上辺の長さＷ２が、左右本体部１０，１１の横辺の長さＷ’の３０〜４０％である。
【００２２】
本実施形態では、左右本体部１０，１１の横辺の長さＷ’は１２ｃｍであり、左右本体部１０，１１の縦辺の長さＬ’は２０ｃｍである。また、左右ポケット部２０，２１の下辺の長さＷ１は６ｃｍ、左右ポケット部２０，２１の上辺の長さＷ２は４．５ｃｍである。
【００２３】
本実施形態では、右ポケット部２０と左ポケット部２１とは、それぞれ異なる柄又は色からなる。
図３（Ａ）の通り、慶事では、左ポケット部２１に金封１００の左側を収納して、図３（Ｂ）の通り、右本体部１０で金封１００を覆う。また、図４（Ａ）の通り、弔事では、右ポケット部２０に金封１００の右側を収納して、図４（Ｂ）の通り、左本体部１１で金封１００を覆う。
このように、本実施形態の簡易袱紗は、右ポケット部２０と左ポケット部２１とがそれぞれ異なる柄又は色からなるので、使用者は、慶事と弔事とで、どちらのポケット部２０，２１に金封１００を収納すべきか非常に分かりやすい。さらに、左右ポケット部２０，２１は、金封１００の略左右半分を収納して、金封１００を確実に保持できる。
【００２４】
さらに、本実施形態では、図３（Ｂ）の通り、右本体部１０の表面１０Ａの一部が、右ポケット部２０と同じ形状、かつ、同じ柄又は色からなる。また、図４（Ｂ）の通り、左本体部１１の表面１１Ａの全部は、左ポケット部２１と同じ柄又は色からなる。
このように、本実施形態の簡易袱紗は、右本体部１０の表面１０Ａと左本体部１１の表面１１Ａとがそれぞれ異なる柄又は色からなるので、使用者は、慶事と弔事とで、どちらのポケット部２０，２１に金封１００を収納すべきか非常に分かりやすい。また、左右本体部１０，１１の表面１０Ａ，１１Ａの柄又は色を、それぞれ慶事及び弔事に適したものできるので、受付においても、
【００２５】
本考案の金封袱紗は、全体的に絹、レーヨン、ポリエステル、アセテート等の生地材からなることが好ましく、また、金封を確実に保護する観点から、ある程度の硬さを持たせることが好ましい。例えば、金封袱紗を全体的に構成する生地材は、内側に厚紙や不織布、レーヨン、ポリエステル、綿等の芯材を配置したものや、２枚の生地の間に芯材を挟持させた３層構造のもの等からなる。
【００２６】
本考案の金封袱紗は、２つの左右ポケット部２０，２１を備えているので、一方のポケット部２０，２１に金封１００を収納して、他方のポケット部２０，２１に名刺や数珠等を収納することができる。
【００２７】
以上、本考案の好ましい実施形態を説明したが、本考案の構成はこれらの実施形態に限定されるものではない。
例えば、左右ポケット部２０，２１は、左右本体部１０，１１の下側に設けられて、金封１００の略下半分を収納するように構成してもよい。
【符号の説明】
【００２８】
１  本体部
１ａ  中央線
１０  右本体部
１１  左本体部
１０ａ  本体部の右端
１１ａ  本体部の左端
１０Ａ  右本体部の表面
１１Ａ  左本体部の表面
１０Ｂ  右本体部の裏面
１１Ｂ  左本体部の裏面
２０  右ポケット部
２１  左ポケット部
１００  金封
Ｗ  金封の横辺の長さ
Ｌ  金封の縦辺の長さ
Ｗ’  左右本体部の横辺の長さ
Ｌ’  左右本体部の縦辺の長さ
Ｗ１  左右ポケット部の下辺の長さ
Ｗ２  左右ポケット部の上辺の長さ
【図１】
0003201737.tif 000003
【図２】
0003201737.tif 000004
【図３】
0003201737.tif 000005
【図４】
0003201737.tif 000006
【手続補正書】
【提出日】平成27年10月15日(2015.10.15)
【手続補正１】
【補正対象書類名】明細書
【補正対象項目名】全文
【補正方法】変更
【補正の内容】
【考案の詳細な説明】
【技術分野】
【０００１】
本考案は、慶弔時において、金封を収納することができる左右開き金封袱紗に関する。
【背景技術】
【０００２】
袱紗は、慶弔時において、金封を包むために用いられる。一般的には、袱紗は、四角形の布からなり、予めこの布に金封を包んで持ち運び、会場の受付でこの布の包みを解いて、金封を取り出すことが礼儀とされている。しかし、布で金封を包むに手間がかかったり、移動中や金封を取り出す時等において、折り畳んだ布が乱れたり、布が撓んで金封に皺が寄る等の問題があった。
【０００３】
そこで、最近では、特許文献１のような簡易袱紗が、広く使用されている。簡易袱紗は、中央で折り畳み可能な本体部と、本体部の一方側に設けられたポケット部と、からなる。そして、簡易袱紗のポケット部に金封を収納して、本体部を折り畳んで金封を持ち運び、受付で、本体部を開いてポケット部から金封を取り出す。
【０００４】
ところで、布の袱紗で金封を包む方法は、慶事と弔事とで異なっており、慶事のときは、最後に金封の右側から包み、弔事のときは、最後に金封の左側から包む。そのため、上記したような従来の簡易袱紗では、慶事のときには、金封の左側をポケット部に収納して、本体部を金封の右側から覆い、弔事のときは、金封の右側をポケット部に収納して、本体部の金封を左側から覆う。
【０００５】
そのため、従来の簡易袱紗では、慶事と弔事とで、上下をひっくり返して、ポケット部の位置を左右に変更する必要があった。さらに、本体部で金封を覆う際、慶事と弔事との双方で、本体部の同じ部分で金封を覆うので、本体部の柄・色・生地等を慶事と弔事との双方に適したものにする必要があった。
【先行技術文献】
【特許文献】
【０００６】
【特許文献１】実用新案登録第３０６３３８４号公報
【考案の概要】
【考案が解決しようとする課題】
【０００７】
そこで、本考案が解決しようとする課題は、慶事と弔事とで、上下をひっくり返して、ポケット部の位置を左右に変更する必要がないと共に、本体部の柄・色・生地等を慶事と弔事とのそれぞれに適したものにできる左右開き金封袱紗を提供することである。
【課題を解決するための手段】
【０００８】
上記課題を解決するために、本考案に係る左右開き金封袱紗は、
中央線に沿って折り畳み可能な長方形状の本体部と、
本体部の裏面に設けられた右ポケット部及び左ポケット部と、を備え、
本体部は、中央線の右側に配置される右本体部と、中央線の左側に配置される左本体部と、を備え、
右本体部及び左本体部は、金封と略同じ大きさの長方形状であって、
右ポケット部は、右本体部に設けられると共に、金封を収納できるように構成され、
左ポケット部は、左本体部に設けられると共に、金封を収納できるように構成される。
【０００９】
好ましくは、
右ポケット部は、右本体部の右辺に連結されると共に、金封の右側を収納できるように構成され、
左ポケット部は、左本体部の左辺に連結されると共に、金封の左側を収納できるように構成され、
左右ポケット部は、台形状であって、左右ポケット部の下辺の長さが、左右本体部の横辺の長さの４５〜５５％であり、左右ポケット部の上辺の長さが、左右本体部の横辺の長さの３０〜４０％である。
【００１０】
好ましくは、
右ポケット部と左ポケット部とは、それぞれ異なる柄又は色からなり、
右本体部の表面の一部又は全部は、右ポケット部と同じ柄又は色を備え、
左本体部の表面の一部又は全部は、左ポケット部と同じ柄又は色を備える。
【００１１】
好ましくは、
右本体部の表面と左本体部の表面とは、それぞれ異なる柄又は色からなる。
【考案の効果】
【００１２】
本考案に係る左右開き金封袱紗は、中央線に沿って折り畳み可能な長方形状の本体部と、本体部の裏面に設けられた右ポケット部及び左ポケット部と、を備える。本体部は、中央線の右側に配置される右本体部と、中央線の左側に配置される左本体部と、を備える。右本体部及び左本体部は、金封と略同じ大きさの長方形状である。右ポケット部は、右本体部に設けられると共に、金封を収納できるように構成される。左ポケット部は、左本体部に設けられると共に、金封を収納できるように構成される。
【００１３】
従って、本考案に係る左右開き金封袱紗は、慶事のときに、左ポケット部に金封を収納して、右本体部で金封を覆い、弔事のときに、右ポケット部に金封を収納して、左本体部で金封を覆うことができるので、慶事と弔事とで、上下をひっくり返して、ポケット部の位置を左右に変更する必要がない。さらに、本体部で金封を覆う際、慶事では右本体部で金封を覆い、弔事では左本体部で金封を覆うので、右本体部の表面の柄・色・生地等を慶事に適したものにでき、左本体部の表面の柄・色・生地等を弔事に適したものにできる。
【図面の簡単な説明】
【００１４】
【図１】本体部を開いた状態の左右開き金封袱紗及び金封を示す図。
【図２】図１のＩ−Ｉ線断面図。
【図３】慶事のときの左右開き金封袱紗の使用状態を示し、（Ａ）は左ポケット部に金封を収納した図、（Ｂ）は右本体部で金封を覆った図。
【図４】弔事のときの左右開き金封袱紗の使用状態を示し、（Ａ）は右ポケット部に金封を収納した図、（Ｂ）は左本体部で金封を覆った図。
【考案を実施するための形態】
【００１５】
以下、図面に基づいて、本考案に係る左右開き金封袱紗について説明する。
【００１６】
図１及び図２の通り、左右開き金封袱紗は、本体部１を備える。本体部１は、中央線１ａに沿って折り畳み可能な長方形状の生地材からなる。本体部１は、中央線１ａの右側に配置される右本体部１０と、中央線１ａの左側に配置される左本体部１１と、からなる。右本体部１０と左本体部１１とは連続して、本体部１を構成する。
【００１７】
右本体部１０及び左本体部１１は、それぞれ金封１００と略同じ大きさの長方形状である。すなわち、金封１００の横辺の長さＷは、左右本体部１０，１１の横辺の長さＷ’と略同じ（数ミリメートル長い）であり、金封１００の縦辺の長さＬは、左右本体部１０，１１の縦辺の長さＬ’と略同じ（数ミリメートル長い）である。
【００１８】
左右開き金封袱紗は、右本体部１０の裏面１０Ｂに設けられた右ポケット部２０と、左本体部１１の裏面１１Ｂに設けられた左ポケット部２１と、を備える。図１の通り、左右ポケット部２０，２１は、台形状である。
【００１９】
右ポケット部２０は、その右辺が右本体部１０の右辺１０ａに連結され、その上辺が右本体部１０の上辺に連結され、その下辺が右本体部１０の下辺に連結される。そのため、右ポケット部２０は、その左側が開口しており、金封１００の右側を収納できる。
左ポケット部２１は、その左辺が左本体部１１の左辺１１ａに連結され、その上辺が左本体部１１の上辺に連結され、その下辺が左本体部１１の下辺に連結される。そのため、左ポケット部２１は、その右側が開口しており、金封１００の左側を収納できる。
【００２０】
図２の通り、左右ポケット部２０，２１は、生地材２で形成され、生地材２は、本体部１の左右端１０ａ，１１ａで折り返され、かつ、本体部１の左右部１０，１１の表面１０Ａ，１１Ａを覆うように、本体部１に貼り付けられる。
【００２１】
図１の通り、左右ポケット部２０，２１は、左右ポケット部２０，２１の下辺の長さＷ１が、左右本体部１０，１１の横辺の長さＷ’の４５〜５５％であり、左右ポケット部２０，２１の上辺の長さＷ２が、左右本体部１０，１１の横辺の長さＷ’の３０〜４０％である。
【００２２】
本実施形態では、左右本体部１０，１１の横辺の長さＷ’は１２ｃｍであり、左右本体部１０，１１の縦辺の長さＬ’は２０ｃｍである。また、左右ポケット部２０，２１の下辺の長さＷ１は６ｃｍ、左右ポケット部２０，２１の上辺の長さＷ２は４．５ｃｍである。
【００２３】
本実施形態では、右ポケット部２０と左ポケット部２１とは、それぞれ異なる柄又は色からなる。
図３（Ａ）の通り、慶事では、左ポケット部２１に金封１００の左側を収納して、図３（Ｂ）の通り、右本体部１０で金封１００を覆う。また、図４（Ａ）の通り、弔事では、右ポケット部２０に金封１００の右側を収納して、図４（Ｂ）の通り、左本体部１１で金封１００を覆う。
このように、本実施形態の左右開き金封袱紗は、右ポケット部２０と左ポケット部２１とがそれぞれ異なる柄又は色からなるので、使用者は、慶事と弔事とで、どちらのポケット部２０，２１に金封１００を収納すべきか非常に分かりやすい。さらに、左右ポケット部２０，２１は、金封１００の略左右半分を収納して、金封１００を確実に保持できる。
【００２４】
さらに、本実施形態では、図３（Ｂ）の通り、右本体部１０の表面１０Ａの一部が、右ポケット部２０と同じ形状、かつ、同じ柄又は色からなる。また、図４（Ｂ）の通り、左本体部１１の表面１１Ａの全部は、左ポケット部２１と同じ柄又は色からなる。
このように、本実施形態の左右開き金封袱紗は、右本体部１０の表面１０Ａと左本体部１１の表面１１Ａとがそれぞれ異なる柄又は色からなるので、使用者は、慶事と弔事とで、どちらのポケット部２０，２１に金封１００を収納すべきか非常に分かりやすい。また、左右本体部１０，１１の表面１０Ａ，１１Ａの柄又は色を、それぞれ慶事及び弔事に適したものできるので、受付においても、
【００２５】
本考案の金封袱紗は、全体的に絹、レーヨン、ポリエステル、アセテート等の生地材からなることが好ましく、また、金封を確実に保護する観点から、ある程度の硬さを持たせることが好ましい。例えば、金封袱紗を全体的に構成する生地材は、内側に厚紙や不織布、レーヨン、ポリエステル、綿等の芯材を配置したものや、２枚の生地の間に芯材を挟持させた３層構造のもの等からなる。
【００２６】
本考案の金封袱紗は、２つの左右ポケット部２０，２１を備えているので、一方のポケット部２０，２１に金封１００を収納して、他方のポケット部２０，２１に名刺や数珠等を収納することができる。
【００２７】
以上、本考案の好ましい実施形態を説明したが、本考案の構成はこれらの実施形態に限定されるものではない。
例えば、左右ポケット部２０，２１は、左右本体部１０，１１の下側に設けられて、金封１００の略下半分を収納するように構成してもよい。
【符号の説明】
【００２８】
１  本体部
１ａ  中央線
１０  右本体部
１１  左本体部
１０ａ  本体部の右端
１１ａ  本体部の左端
１０Ａ  右本体部の表面
１１Ａ  左本体部の表面
１０Ｂ  右本体部の裏面
１１Ｂ  左本体部の裏面
２０  右ポケット部
２１  左ポケット部
１００  金封
Ｗ  金封の横辺の長さ
Ｌ  金封の縦辺の長さ
Ｗ’  左右本体部の横辺の長さ
Ｌ’  左右本体部の縦辺の長さ
Ｗ１  左右ポケット部の下辺の長さ
Ｗ２  左右ポケット部の上辺の長さ
【手続補正２】
【補正対象書類名】実用新案登録請求の範囲
【補正対象項目名】全文
【補正方法】変更
【補正の内容】
【実用新案登録請求の範囲】
【請求項１】
中央線に沿って折り畳み可能な長方形状の本体部と、
前記本体部の裏面に設けられた右ポケット部及び左ポケット部と、を備え、
前記本体部は、前記中央線の右側に配置される右本体部と、前記中央線の左側に配置される左本体部と、を備え、
前記右本体部及び左本体部は、金封と略同じ大きさの長方形状であって、
右ポケット部は、前記右本体部に設けられると共に、前記金封を収納できるように構成され、
左ポケット部は、前記左本体部に設けられると共に、前記金封を収納できるように構成される
ことを特徴とする左右開き金封袱紗。
【請求項２】
前記右ポケット部は、前記右本体部の右辺に連結されると共に、前記金封の右側を収納できるように構成され、
前記左ポケット部は、前記左本体部の左辺に連結されると共に、前記金封の左側を収納できるように構成され、
前記左右ポケット部は、台形状であって、前記左右ポケット部の下辺の長さが、前記左右本体部の横辺の長さの４５〜５５％であり、前記左右ポケット部の上辺の長さが、前記左右本体部の横辺の長さの３０〜４０％である
ことを特徴とする請求項１に記載の左右開き金封袱紗。
【請求項３】
前記右ポケット部と前記左ポケット部とは、それぞれ異なる柄又は色からなり、
前記右本体部の表面の一部又は全部は、前記右ポケット部と同じ柄又は色を備え、
前記左本体部の表面の一部又は全部は、前記左ポケット部と同じ柄又は色を備える
ことを特徴とする請求項１又は２に記載の左右開き金封袱紗。
【請求項４】
前記右本体部の表面と前記左本体部の表面とは、それぞれ異なる柄又は色からなる
ことを特徴とする請求項１〜３のいずれかに記載の左右開き金封袱紗。